(57)【要約】【解決課題】ショーツ等の女性用下着をデザイン（設計）する際に、鼠蹊部やバストの谷間やエッジ部にフィットし、着用感に優れた女性用下着を低コストにて提供することを課題とする。【解決手段】少なくとも一端部を広幅とし、中間部又は他端部が細幅となるようになだらかな湾曲部を持ってデザイン性並びに人体に即応した形状に編成された編地を用い、前記編地の幅方向の両エッジ部の少なくとも一部を、当該両エッジ部以外の部分に比較して伸縮性又は剛性が相対的に高くなるように構成して課題を解決した。【選択図】　図１
2004019011.tif 000002
【特許請求の範囲】
【請求項１】
少なくとも一端部を広幅とし、中間部又は他端部が細幅となるようになだらかな湾曲部を持って編成された編地を用い、前記編地の幅方向の両エッジ部の少なくとも一部を、当該両エッジ部以外の部分に比較して伸縮性又は剛性が相対的に高くなるように構成したことを特徴とする女性用下着。
【請求項２】
前記女性用下着がショーツであって、両端部を広幅とし、中間部が細幅となるようになだらかな湾曲部を持って編成された縦長の袋編地を用い、該袋編地を２つ折りして広幅の両端部で円形状の腰回り部を形成すると共　に、細幅部を股下部とし、前記袋編地の幅方向の両エッジ部を、当該両エッジ部以外の部分に比較して伸縮性又は剛性が高くなるように構成したことを特徴とする女性用下着。
【請求項３】
前記編地又は袋編地の幅方向の両エッジ部は、組織を変えるか又はストレッチ糸を挿入することにより、当該両エッジ部以外の部分に比較して伸縮性又は剛性が高くなるように構成したことを特徴とする請求項１又は２に記載の女性用下着。
【請求項４】
前記編地又は袋編地の幅方向の両エッジ部は、ストレッチ性の樹脂又はフィルムをコーティングすることにより、当該両エッジ部以外の部分に比較して伸縮性又は剛性が高くなるように構成したことを特徴とする請求項１又は２に記載の女性用下着。
【請求項５】
前記編地又は袋編地の幅方向の両エッジ部は、モールド成形することにより、当該両エッジ部以外の部分に比較して伸縮性又は剛性が高くなるように構成したことを特徴とする請求項１又は２に記載の女性用下着。
【請求項６】
モールド成形することにより必要箇所を膨出又は熱セットし伸度を抑えたことを特徴とする請求項１又は２に記載の女性用下着。
【発明の詳細な説明】
【０００１】
【発明の属する技術分野】
この発明は、ショーツやブラジャー、或いはこれらを転用したインナー、ボディスーツ、ボディスリップ等の女性用下着に関するものである。
【０００２】
【従来の技術】
従来の一般的なショーツは、両端部が広幅、中間部が細幅の織物地や編地を用い、広幅の両端部を接合して腰回り部となし、細幅部を股下部としているが、織物地を裁断して形成するため、生地の両側縁をほつれ止めのために縁縫いする必要があった。従って、余分な手間がかかるとともに、履き心地も悪く、また織物は伸縮性に乏しいため、股口周縁には伸縮紐を取り付ける必要があった。
【０００３】
そこで、本出願人は、前記従来のショーツにおける両端縁を縁縫いする必要があるなどの問題点を解決するため、実開昭６３−２７０１号公報に開示されている技術について、既に提案している。
【０００４】
この実開昭６３−２７０１号公報に係るショーツは、両端部を広幅とし、中間部が細幅となるようになだらかな湾曲部を持って編成された縦長の袋編地を用　い、該袋編地を２つ折りして広幅の両端部で円形状の腰回り形成すると共に、細幅部を股下部としてなることを特徴とするものである。
【０００５】
【発明が解決しようとする課題】
しかしながら、上記従来技術の場合には、次のような問題点を有している。すなわち、上記実開昭６３−２７０１号公報に係るショーツの場合には、両端部を広幅とし、中間部が細幅となるようになだらかな湾曲部を持って編成された縦長の袋編地を用いて、細幅部を股下部としたものであり、細幅部のエッジ部は、袋編地の耳部そのものからなるために弱く、又は張力が均衡化され、人体の恥骨が高い場合など、袋編地の耳部が鼠蹊部（鼠径溝）にフィットしないという問題点があった。また、その結果、上記実開昭６３−２７０１号公報に係るショーツの場合には、着用者に精神的不快感を与えるものとなっていた。さらに、上記ショーツの場合には、袋編地の耳部が鼠蹊部（鼠径溝）にフィットしないため、やはり股口周縁には伸縮テープを取り付けるなどの必要があり、コスト的にもアップしてしまうという問題点を有していた。
【０００６】
そこで、この発明は、上記従来技術の問題点を解決するためになされたものでり、その目的とするところは、ショーツ等の女性用下着をデザイン（設計）する際に、鼠蹊部やバストの谷間やエッジ部にフィットし、着用感に優れた女性用下着を低コストにて提供することにある。
【０００７】
【課題を解決するための手段】
すなわち、請求項１に記載された発明は、少なくとも一端部を広幅とし、中間部又は他端部が細幅となるようになだらかな湾曲部を持ってデザイン性並びに人体に即応した形状に編成された編地を用い、前記編地の幅方向の両エッジ部の少なくとも一部を、当該両エッジ部以外の部分に比較して伸縮性又は剛性が相対的に高くなるように構成したことを特徴とする女性用下着である。なお、両エッジ部以外の部分は、伸縮性又は剛性を強、中、弱というように段階的に設定しても良い。
【０００８】
ここで、「少なくとも一端部を広幅とし、中間部又は他端部が細幅となるようになだらかな湾曲部を持って編成された編地を用い」とあるのは、例えば、ブラジャーのカップ部（広幅の部分）からショルダー部（細幅の部分）までをも含むものである。
【０００９】
また、「少なくとも一端部を広幅とし、中間部又は他端部が細幅となるようになだらかな湾曲部を持って編成された編地を用い」とあるのは、結果的に、かかる構成を有する編地を用いればよいのであり、一次的に当該編地を構成し、二次的に、編地の幅方向の両エッジ部の少なくとも一部を、当該両エッジ部以外の部分に比較して伸縮性又は剛性が相対的に高くなるように構成することを意味するものではない。
【００１０】
さらに、「編地の幅方向の両エッジ部の少なくとも一部を、当該両エッジ部以外の部分に比較して伸縮性又は剛性が相対的に高くなる」とあるのは、両エッジ部の少なくとも一部を、伸縮性又は剛性が相対的に高くなるように構成しても、両エッジ部以外の部分を、伸縮性又は剛性が相対的に低くなるように構成してもどちらでも良い趣旨である。
【００１１】
なお、原則として、編み糸は、ストレッチ性のあることが前提であり、ストレッチ性の無い綿糸等は、ストレッチ糸にカバーリングする方法で使用されるか、又は補強糸的に使用される。
【００１２】
本発明において、最も基本となる編み組織は、図１７（ａ）に示すように、両エッジ部８、９を総針部として、両エッジ部８、９以外の部分（例えば、身頃全体又は一部）を、総針に対し１本に１本（１／１）、２本に１本（１／２）、３本に１本（１／３）等の針を抜く編み組織（針抜き部）とするものである。
【００１３】
また、付加機能パターンとしては、図１７（ｂ）に示すように、両エッジ部　８、９に補強糸を交編した編み組織（総針プラス補強糸）として、伸縮性を高くして伸張を抑えた部分（伸張しにくい部分）を構成し、両エッジ部８、９に隣接する部分を、１本に１本抜く（１／１）編み組織（針抜き）として、身頃部（最も伸張を必要とする部分）を構成し、更にその内側の部分を、３本に１本抜く　（１／３）編み組織（針抜き）として、身頃部（略基本組織、基本伸張率を必要とする部分）を構成しても良い。
【００１４】
さらに、付加機能パターンとしては、図１７（ｃ）に示すように、両エッジ部８、９にストレッチ性樹脂フィルム又は樹脂をコーティングして、より伸縮性を高くし、両エッジ部８、９に隣接する部分を、１本に１本抜く（１／１）編み組織（針抜き）として、身頃部（最も伸張を必要とする部分）を構成し、更にその内側の部分を、３本に１本抜く（１／３）編み組織（針抜き）として、身頃部の一部（略基本組織、両側の中和部分）を構成し、更に中央の部分を補強糸を交編した編組織（総針プラス補強糸）として、身頃部の一部（伸縮性を抑える必要性のある、腹部やヒップ下部）を構成するようにしても良い。なお、部位によっては、クロッチ等の針抜き編み組織に補強糸を加えたパイル編みをデザインしても（設けても）良い。
【００１５】
また更に、付加機能パターンとしては、図１７（ｄ）に示すように、基本パターンの編み組織に加えて、両エッジ部８、９に熱セットを施することにより剛性を高めても良い。なお、当該両エッジ部８、９の構成に加えて、図１７（ｂ）　（ｃ）に示す構成を組み合わせても良い。
【００１６】
さらに、付加機能パターンとしては、図１７（ｅ）に示すように、図１７　　（ａ）〜（ｃ）の編み糸に熱収縮糸を一部又は全部に使用し、熱セットによりエッジを熱収縮させて、剛性を高めても良い。
【００１７】
又、付加機能パターンとしては、図１７（ｆ）に示すように、両エッジ部８、９以外の部分に、モールド成形を付加し、バスト又はヒップ等の必要部分を膨出補正する機能を高めるように構成しても良い。
【００１８】
更に、付加機能パターンとしては、同じく図１７（ｆ）に示すように、両エッジ部８、９以外の必要箇所（バスト部周辺及びヒップ部、更には腹部）に熱セットを施し、補正機能を高めるように構成しても良い。
【００１９】
また、付加機能パターンとしては、図１７（ｇ）に示すように、両エッジ部　８、９を袋体とし、その他身頃部は表裏一体編みとする編み組織を追加するように構成しても良い。
【００２０】
尚、針抜きの方法やデザインは限定されるものではない。又、各テクニック編み組織の組合わせについても、上記の構成は基本であり、限定されるものではない。
【００２１】
また、コーティング方式の場合、表裏を反転させ内面になる側にコーティング後、反転させ人体に直接当たらない方法をとるか、又は表側に飾りを兼ねてコーティングしても良い。このように、人体への抵抗や接触を考慮するコーティング位置が望ましい。
【００２２】
また、請求項２に記載された発明は、前記女性用下着がショーツであって、両端部を広幅とし、中間部が細幅となるようになだらかな湾曲部を持って編成された縦長の袋編地を用い、該袋編地を２つ折りして広幅の両端部で円形状の腰回り部を形成すると共に、細幅部を股下部とし、前記袋編地の幅方向の両エッジ部　を、当該両エッジ部以外の部分に比較して伸縮性又は剛性が高くなるように構成したことを特徴とする女性用下着である。
【００２３】
さらに、請求項３に記載された発明は、前記編地又は袋編地の幅方向の両エッジ部は、組織を変えるか又はストレッチ糸を挿入することにより、当該両エッジ部以外の部分に比較して伸縮性又は剛性が高くなるように構成したことを特徴とする請求項１又は２に記載の女性用下着である。
【００２４】
なお、該当する編み機（丸編み・ヨコ編み共に）は、現状ではタテに挿入することは困難であるため、補強糸の交編として使用するのが望ましい。
【００２５】
又、請求項４に記載された発明は、前記編地又は袋編地の幅方向の両エッジ部は、ストレッチ性の樹脂又はフィルムをコーティングすることにより、当該両エッジ部以外の部分に比較して伸縮性又は剛性が高くなるように構成したことを特徴とする請求項１又は２に記載の女性用下着である。
【００２６】
なお、上記コーティングは、例えば、袋体に構成された両エッジ部の内側や外側、又は外側の裏面等、任意の部位に施しても良い。
【００２７】
更に、請求項５に記載された発明は、前記編地又は袋編地の幅方向の両エッジ部は、モールド成形することにより、当該両エッジ部以外の部分に比較して伸縮性又は剛性が高くなるように構成したことを特徴とする請求項１又は２に記載の女性用下着である。
【００２８】
ここで、一般的に、「モールド成形」とは、造形的熱プレスセットを意味するものである。当該「モールド成形」は、他の請求項にも当てはまり、恥骨等膨出部の形状を人体に合わせて膨出させることにより、適合性を高めたり、又はヒップ下部又はバスト下部等の伸張度を抑え、機能性を高めるものである。
【００２９】
また、請求項６に記載された発明は、モールド成形することにより必要箇所を膨出又は熱セットし伸度を抑えたことを特徴とする請求項１又は２に記載の女性用下着である。
【００３０】
【発明の実施の形態】
以下に、この発明の実施の形態について図面を参照して説明する。
【００３１】
実施の形態１
図１はこの発明の実施の形態１に係る女性用下着としてのショーツを示すものである。
【００３２】
図１において、１は女性用下着としてのショーツを示すものであり、このショーツ１は、図２及び図３に示すような、袋編地２によって形成されている。上記袋編地２は、例えば、丸編機又は横編機などを用い、広幅の端部３から袋編みを始め、順次中央部４までなだらかな湾曲線をもって目減らし、中央部４を過ぎると目増しして広幅の端部５に至るように袋編みすることによって形成される。また、この袋編地２の他の製法としては、同一幅の筒編地を編成し、両端部３、５を広幅、中央部４が細幅となるように、モールド成形用の型を用いて熱セットすることにより形成することも可能であるが、この場合の編糸は、合成繊維糸でないとあまり効果が無い。
【００３３】
また、上記のようにして得られた袋編地２を用いて、図１に示すようなショーツ１を製作するには、この袋編地２を２つ折りにし、図３（ｂ）の場合には、両端部を適宜に延設し、３ａ、３ｂの部分をカットし、５ａ、５ｂの部分等を縫着６して、図１又は図３の形状のショーツ１とする。また、この場合は、筒口縁　３、５は、適宜伸縮紐７等を用いて伸縮させると共に、口を塞ぐように構成しても良い。なお、側部３ａ、３ｂ、５ａ、５ｂをそのままの状態では縫着せず、図２に示すように、三角部３ｃ、３ｄ、５ｃ、５ｄを切断した後、同様に縫着してもよい。また、縫着６部の長さを長くし、図３のような履き込みを深く又はトランクス形に形成しても良い。
【００３４】
なお、図１乃至図３に示す実施の形態は、図１８（ａ）に示すように、袋編地２の両端部に伸縮紐７等を縫着し、当該伸縮紐７等によって着用するように構成したものである。又、図１８（ｂ）に示すように、袋編地２を延設拡大し、Ａ−Ａ’、Ｂ−Ｂ’のようにカットして、当該カット部分を縫着するように構成しても良い。
【００３５】
なお、図１及び図２に示す実施の形態では、袋編地２の両エッジ部８、９を除く身頃部分１０が、段階的に伸張性を低く形成した編み組織、伸張率を抑え（伸張力が弱い）ストレッチ性が異なるように設計されており、図２の１０ａの部分が最もストレッチ性（伸縮性）が高く、下腹部の引き締め効果やヒップアップ効果を奏するように構成され、１０ｂ及び１０ｃの部分が、順次伸張率を低く（伸張力が弱い）ストレッチ性（伸縮性）が弱く（低く）なるように設定されてい　る。
【００３６】
また、図２において破線の外形線で示すように、女性の補正範囲及び体形に応じて、袋編地２の身頃部分１０などの大きさを、適宜変更しても良いことは勿論である。
【００３７】
ところで、この実施の形態では、少なくとも一端部を広幅とし、中間部又は他端部が細幅となるようになだらかな湾曲部を持たせ編成させた編地を用い、前記編地の幅方向の両エッジ部の少なくとも一部を、当該両エッジ部以外の部分に比較して伸縮性又は剛性が高くなるように編成されている。
【００３８】
また、更に具体的には、女性用下着がショーツであって、両端部を広幅とし、中間部が細幅となるようになだらかな湾曲部を持って編成された縦長の袋編地を用い、該袋編地を２つ折りして広幅の両端部で円形状の腰回り部を形成すると共に、細幅部を股下部とし、前記袋編地の幅方向の両エッジ部を、当該両エッジ部以外の部分に比較して伸縮性及び／又は剛性が高くなるように構成されている。
【００３９】
さらに、上記編地又は袋編地の幅方向の両エッジ部は、組織を変えるか又はストレッチ糸を挿入することにより、当該両エッジ部以外の部分に比較して伸縮性又は剛性が高くなるように構成されている。
【００４０】
すなわち、この実施の形態１では、図４に示すように、袋編地２を、例えば、丸編機又は横編機などを用いて編成する際に、袋編地の幅方向の両エッジ部８、９は、当該両エッジ部８、９以外の身頃部分１０に対して、編組織を変えて、両エッジ部８、９は、編針の針本数を所定の本数とすると共に、当該両エッジ部　８、９以外の身頃部分１０は、編針の針本数を、数本（例えば、１本）抜きにするなどして、両エッジ部８、９よりも減らし、粗い目及び／又はソフトにするように構成されている。なお、上記袋編地２は、縦編み（ダブルラッセルを含む）などによって編成しても良い。
【００４１】
このようにして編成された袋編地２は、図５（ａ）に示すように、当該袋編地２の幅方向の両エッジ部８、９が、両エッジ部８、９以外の身頃部分１０に比較して、伸縮性及び剛性が高くなるように構成されている。
【００４２】
また、上記袋編地２としては、図５（ｂ）に示すように、股下部（クロッチ　部）１１のみを、パイル調に構成したり、又は、図５（ｃ）に示すように、両エッジ部８、９を伸びが強い部分とするとともに、当該両エッジ部８、９の内側部分を最も伸びる部分１２、１３とし、中間部１４をソフトな部分となるように構成しつつ、股下部（クロッチ部）１５をプリーツ状に構成したり、又は、図５　（ｄ）に示すように、股下部（クロッチ部）１６のみを、プリーツ状に構成しても良い。
【００４３】
また、上記袋編地２としては、図６（ａ）に示すように、上述のごとく、両エッジ部８、９の編みゲージを他の部分と異ならせ、両エッジ部８、９の編目を他の部分よりも多くしたり、図６（ｂ）に示すように、通常の編み組織からなる両エッジ部８、９に、樹脂１７等をコーティング又は熱セットしたり、図６（ｃ）に示すように、図６（ａ）と同様に、両エッジ部８、９の編み組織を変えつつ、図６（ｂ）と同様に、両エッジ部８、９に樹脂等をコーティング又は熱セットしたり、図６（ｄ）に示すように、股下部のみに部分的に、又は全体的に、両エッジ部８、９を除く部分にプリーツ編み１８を組み入れることによって、身頃部分等をソフトに形成し、相対的に両エッジ部８、９を伸縮性及び／又は剛性が高くなるように構成したり、図６（ｅ）に示すように、袋編地２に対してモールド成形を施し、熱プレスする際に、両エッジ部８、９の温度や圧縮率を高く設定するように構成しても良い。
【００４４】
このように、上記実施の形態１によれば、ショーツ１の素材は、袋編地２であり、両エッジ部８、９は袋縫いの必要がないので、縁縫いのための余分な作業は必要でなく、かつ適度の伸縮性を有するので、よく身体に密着して履き心地もよく、構造の簡単なため安価に製造できる。
【００４５】
また、上記実施の形態１によれば、袋編地２は、編組織を変えることによっ　て、両エッジ部８、９は、伸縮性及び／又は剛性が高くなるように構成するとともに、両エッジ部８、９以外の身頃部１０は、粗い目又はソフトにする等に構成されているので、袋編地２の耳部である両エッジ部８、９は、伸縮性及び剛性が高く、ショーツ１を着用した場合に、図７に示すように、身体１７の鼠蹊部（鼠径溝）１８にフィットし、着用感が優れたものとなっている。なお、図７の破線は、従来の製品を示している。
【００４６】
実施の形態２
図８及び図９はこの発明の実施の形態２を示すものであり、前記実施の形態１と同一の部分には同一の符号を付して説明すると、この実施の形態２では、表裏が一体状に構成される場合の歩留まりを良くするように構成したものであり、ダブルラッセル編に適応するものである。
【００４７】
すなわち、この実施の形態２では、例えば、図８に示すようなＴバックタイプのショーツ２１を、表裏をそれぞれ構成する２枚の編地２２、２３によって構成し、これらの２枚の編地の両エッジ部を縫着して製造するようになっている。
【００４８】
また、この実施の形態２では、前記実施の形態１と同様に、２枚の編地２２、２３の両エッジ部８、９は、編組織を変えるなどして、他の部分に比較して、伸縮性及び／又は剛性が高くなるように構成されている。
【００４９】
なお、図９は、ビキニ又はレギュラータイプのショーツ３１を、表裏をそれぞれ構成する２枚の編地３２、３３によって構成したものである。
図９においては、太腿部に相当する部分が表裏を一体化編みに構成され、身頃部の部分は、表裏が別に編まれている。
【００５０】
その他の構成及び作用は、前記実施の形態１と同様であるので、その説明を省略する。
【００５１】
実施の形態３
図１０はこの発明の実施の形態３を示すものであり、この実施の形態３では、女性用下着として、ショーツではなく、ブラジャーに展開するように構成したものである。
【００５２】
すなわち、この実施の形態３では、図１０に示すように、女性用下着としてブラジャー４１に展開したものであり、このブラジャー４１は、図１１に示すような、左右のカップ部４２、４３等が袋編地４４によって形成されている。上記袋編地４４は、例えば、丸編機又は横編機などを用い、広幅の端部４５から袋編みを始め、順次先端部４６までなだらかな湾曲線をもって目減らし、先端部のストラップ部４７、４８において、両エッジ部４９、５０が一体となるように編成されている。
【００５３】
そして、上記左右のカップ部４２、４３等を構成する袋編地４４は、編組織を他の部分に対して変えるなどして、両エッジ部８、９を伸縮性及び／又は剛性が高くなるように構成されている。
【００５４】
上記の如く袋編地４４によって構成された左右のカップ部４２、４３は、当該左右のカップ部４２、４３の下端部を、伸縮性を有する紐等によって互いに縫着することによって、ブラジャー４１が構成される。
【００５５】
なお、図１０に示す実施の形態では、袋編地４４の両エッジ部４９、５０を除くカップ部分５１、５２が、段階的にストレッチ性が異なるように設計されており、図１１の５１ａ、５２ａの部分が最もストレッチ性が高く（強）、バストの保持効果やバウトアップ効果を奏するように構成され、５１ｂ及び５２ｂ　　　（中）、５１ｃ及び５２ｃ（微弱）の部分が、順次ストレッチ性が弱くなるように設定され、５１ｄ及び５２ｄ（弱）の部分は、肌当たりがソフトに形成されている。なお、図１０も強弱が同様に設定されている。
【００５６】
また、上記袋編地４４は、図１２又は図１３に示すように構成しても良い。図１３がブラジャー編みたて時の姿で、図１２は編みたて後を示し、Ａを表面ポイント部、Ｂを裏面ポイント部とするように反転、重ね合わせて結果、図１２のＡ（乳房のふくらみを形成した）ブラジャーを得ることができる。
【００５７】
なお、上記実施の形態では、女性用下着として、ショーツやブラジャーなどに展開した場合について説明したが、これに限定されるものではなく、図１４に示すようなブラジャーや、図１５や図１６に示すようなボディスリップやボディスーツなどの女性用下着に展開することも勿論可能である。
【００５８】
【発明の効果】
以上述べたように、この発明によれば、ショーツ等の女性用下着をデザイン　（設計）する際に、鼠蹊部やバストの谷間やエッジ部にフィットし、着用感に優れた女性用下着を低コストにて提供することができる。
【図面の簡単な説明】
【図１】図１はこの発明の実施の形態１に係る女性用下着としてのショーツを示す構成図である。
【図２】図２はこの発明の実施の形態１に係る女性用下着としてのショーツの要部を示す構成図である。
【図３】図３はこの発明の実施の形態１に係る女性用下着としてのショーツを示す構成図である。
【図４】図４は編み地を示す説明図である。
【図５】図５はこの発明の実施の形態１に係る女性用下着としてのショーツを示す構成図である。
【図６】図６はこの発明の実施の形態１に係る女性用下着としてのショーツの要部を示す構成図である。
【図７】図７はこの発明の実施の形態１に係る女性用下着としてのショーツの要部を示す説明図である。
【図８】図８はこの発明の実施の形態１に係る女性用下着としてのショーツの変形例を示す構成図である。
【図９】図９はこの発明の実施の形態１に係る女性用下着としてのショーツの変形例を示す構成図である。
【図１０】図１０はこの発明の他の実施の形態に係る女性用下着としてのブラジャーを示す構成図である。
【図１１】図１１はこの発明の他の実施の形態に係る女性用下着としてのブラジャーを示す構成図である。
【図１２】図１２はこの発明の他の実施の形態に係る女性用下着としてのブラジャーの変形例を示す構成図である。
【図１３】図１３はこの発明の他の実施の形態に係る女性用下着としてのブラジャーの変形例を示す構成図である。
【図１４】図１４はこの発明の他の実施の形態に係る女性用下着としてのブラジャーを示す構成図である。
【図１５】図１５はこの発明の他の実施の形態に係る女性用下着としてのボディスリップを示す構成図である。
【図１６】図１６はこの発明の他の実施の形態に係る女性用下着としてのボディスーツを示す構成図である。
【図１７】図１７はこの発明に係る女性用下着の要部を示す説明図である。
【図１８】図１８はこの発明に係る女性用下着としてのショーツを示す構成図である。
【符号の説明】
１：ショーツ（女性用下着）、２：袋編地、８、９：エッジ部、１０：身頃　部、１０ａ：ストレッチ性（伸縮性）が高い部分、１０ｂ、１０ｃ：ストレッチ性が弱い部分。
【図１】
2004019011.tif 000003
【図２】
2004019011.tif 000004
【図３】
2004019011.tif 000005
【図４】
2004019011.tif 000006
【図５】
2004019011.tif 000007
【図６】
2004019011.tif 000008
【図７】
2004019011.tif 000009
【図８】
2004019011.tif 000010
【図９】
2004019011.tif 000011
【図１０】
2004019011.tif 000012
【図１１】
2004019011.tif 000013
【図１２】
2004019011.tif 000014
【図１３】
2004019011.tif 000015
【図１４】
2004019011.tif 000016
【図１５】
2004019011.tif 000017
【図１６】
2004019011.tif 000018
【図１７】
2004019011.tif 000019
【図１８】
2004019011.tif 000020